(57)【要約】【課題】バランス修正効率が良く、回転多面鏡反射面の面精度悪化を低減する偏向走査装置を提供すること。【解決手段】複数のビームが回転軸方向に分離して回転多面鏡反射面に入射する偏向走査装置において、回転多面鏡反射面が入射位置に応じて回転軸方向に複数に分離する回転多面鏡と、回転多面鏡を回転駆動するモータと、回転多面鏡と一体である回転部材を回転支持する軸受手段と、回転多面鏡とモータの回転部と回転部材を含む回転体を有し、回転多面鏡において、分離された反射面の間の非反射面を回転体のバランス修正部とする。ここで、分離された反射面の間の非反射面のバランス修正部のみで回転体のバランスを１面修正しても良い。又、分離された反射面の間の非反射面が、当反射面の内接円半径よりもその半径を大きく形成しても良い。【選択図】図１
2006221001.tif 000002
【特許請求の範囲】
【請求項１】
複数のビームが回転軸方向に分離して回転多面鏡反射面に入射する偏向走査装置であって、回転多面鏡反射面が入射位置に応じて回転軸方向に複数に分離する回転多面鏡と、該回転多面鏡を回転駆動するモータと、前記回転多面鏡と一体である回転部材を回転支持する軸受手段と、前記回転多面鏡と前記モータの回転部と前記回転部材を含む回転体を有し、前記回転多面鏡において、分離された反射面の間の非反射面を前記回転体のバランス修正部とすることを特徴とする偏向走査装置。
【請求項２】
分離された反射面の間の非反射面のバランス修正部のみで回転体のバランスを１面修正することを特徴とする請求項１記載の偏向走査装置。
【請求項３】
分離された反射面の間の非反射面が、当該反射面の内接円半径よりもその半径を大きく形成することを特徴とする請求項１記載の偏向走査装置。
【請求項４】
分離された反射面の間の非反射面が、当該反射面の内接円半径よりもその半径を小さく形成することを特徴とする請求項１記載の偏向走査装置。
【請求項５】
分離された反射面の間の非反射面において、ラジアル方向の面をバランス修正部とすることを特徴とする請求項２又は３記載の偏向走査装置。
【請求項６】
分離された反射面の間の非反射面において、スラスト方向の面をバランス修正部とすることを特徴とする請求項２又は３記載の偏向走査装置。
【請求項７】
分離された反射面の間の非反射面において、ラジアル方向の面に環状のバランス修正溝を設け、該バランス修正溝をバランス修正部とすることを特徴とする請求項２記載の偏向走査装置。
【請求項８】
分離された反射面の間の非反射面において、スラスト方向の面に環状のバランス修正溝を設け、該バランス修正溝をバランス修正部とすることを特徴とする請求項２又は３記載の偏向走査装置。
【発明の詳細な説明】
【技術分野】
【０００１】
本発明は、レーザビームプリンタ等に用いられ、複数のレーザビームを偏向走査する偏向走査装置に関するものである。
【背景技術】
【０００２】
レーザビームプリンタやレーザファクシミリ等の電子写真方式の画像形成装置に用いられる偏向走査装置は、高速回転する回転多面鏡等によってレーザビーム等の光ビームを偏向走査し、得られた走査光を回転ドラム上の感光体に結像させて静電潜像を形成する。次いで、感光体の静電潜像を現像装置によってトナー像に顕像化し、これを記録紙等の記録媒体に転写して定着装置へ送り、記録媒体上のトナーを加熱定着させることで印刷（プリント）が行われる。
【０００３】
図４は一従来例による偏向走査装置の主要部を示すもので、特許文献１に記載されている偏向走査装置である。動圧空気軸受型偏向走査装置１３０は、ハウジング１３１とハウジング１３１上に固定された上カバー１３２により、その外観が形成され、ハウジング１３１の底部中央部に、固定軸１３３が圧入固着あるいは焼きばめ等の方法で固定されている。
【０００４】
固定軸１３３は、その周壁部の適切な位置にヘリングボーン溝１３３ａが形成されており、固定軸１３３の上端凹部内には、アキシャル方向に所定長さを有したリング状の永久磁石組立体１３４が埋設されている。
【０００５】
永久磁石組立体１３４は、所定の大きさの中心円がその中心部に形成されアキシャル方向に２極に着磁されてアキシャル方向に磁極が向いたリング状の永久磁石１３５と、永久磁石１３５のアキシャル方向両端（軸方向両端）に固定され永久磁石１３５の中心円（内径）よりも小さい中心円がその中心部に形成された強磁性材料からなる一対の固定ヨーク板１３６と、で形成されている。永久磁石組立体１３４は、一対の固定ヨーク板１３６で永久磁石１３５を挟んだ状態で固定軸１３３の上端凹部内に埋設された状態となっている。
【０００６】
固定軸１３３は、その上部が円筒形状の回転スリーブ１３７の中空内に挿入されており、回転スリーブ１３７の上面から外周面には、キャップ形状に形成されるとともに、外方（径方向）に鍔状に突出したフランジ（保持部材）１３８が固定されている。フランジ１３８の中央部には、磁気軸受回転部１３９が圧入されてフランジ１３８に固定されており、磁気軸受回転部１３９は、一対の固定ヨーク板１３６の中心円部分との間に磁気ギャップを構成する外筒面が形成されている。
【０００７】
フランジ１３８の鍔状に突出した座面１３８ａの上面には、回転多面鏡１４０が載置されており、回転多面鏡１４０は、回転多面鏡押えばね１４１により回転スリーブ１３７のフランジ１３８に押さえ付けられるとともに、回転多面鏡押えばね１４１がネジ１４２が磁気軸受回転部１３９の上端部に形成されたネジ穴に螺合されて磁気軸受回転部１３９に固定されることにより、磁気軸受回転部１３９に固定されている。
【０００８】
尚、フランジ１３８は、上述のように、回転スリーブ１３７の上方の中空部を閉止する状態で回転スリーブ１３７に取り付けられており、固定軸１３３の上端とフランジ１３８により閉止された回転スリーブ１３７の中空部に空気溜まり１４３が形成されている。
【０００９】
磁気軸受回転部１３９は、永久磁石或は鉄鋼系の強磁性体等のように、寸法精度の高い材料で形成されている。又、上記固定軸１３３、回転スリーブ１３７及び回転多面鏡押えばね１４１は、非磁性材料で形成されており、吸引力を発生する永久磁石組立体１３４と磁気軸受回転部１３９のギャップ中に磁束漏れが発生することを抑制して、後述するアキシャル軸受に効率良くアキシャル吸引力を発生させる。
【００１０】
又、フランジ１３８には、空気溜まり１４３を、回転多面鏡押えばね１４１のスリット（図示略）を介して回転スリーブ１３７の外部に連通する微細穴１３８ａが磁気軸受回転部１３９の周囲に形成されており、微細穴１３８ａは、微細穴１３８ａを通過する空気の粘性抵抗により、後述するアキシャル軸受に適切なダンピング特性を持たせている。
【００１１】
フランジ１３８の下面であって回転スリーブ１３７の外周方向には、周状にロータマグネット１４４が取り付けられている。
【００１２】
上記フランジ１３８、磁気軸受回転部１３９、回転多面鏡１４０、回転多面鏡押えばね１４１、ネジ１４２及びロータマグネット１４４等の取り付けられた回転スリーブ１３７は、回転体１４５を構成している。
【００１３】
上記ロータマグネット１４４に対向する内周側には、ステータコア１４６が配設されており、ステータコア１４６には、巻線コイル１４６ａが巻かれている。ロータマグネッ１ト４４及び巻線コイル１４６ａの巻かれたステータコア１４６の下方の位置には、基板１４７とホール素子１４８が配設されている。これらの基板１４７及び巻線コイル１４６ａの巻かれたステータコア１４６等は、ハウジング１３１に取り付けられており、ホール素子１４８は、基板１４７に取り付けられている。
【００１４】
基板１４７には、図示しない駆動回路が形成されており、これらロータマグネット１４４、ステータコア１４６、巻線コイル１４６ａ、基板１４７及びホール素子１４８等により、ラジアルギャップ・アウターロータ型のブラシレスモータ１４９が構成されており、ブラシレスモータ１４９は、基板１４７の駆動回路がホール素子１４８の位置検出信号に基づいて、順次巻線コイル１４８への通電を制御して、励磁切り換えを行うことにより、回転体１４５を回転させて、定速制御する。
【００１５】
そして、上記フランジ１３８の下端部には、回転体１４５の不釣り合い修正用のバランス修正溝１３８ｂが形成されており、回転多面鏡押えばね１４１の周状の折り曲げ部には、不釣り合い修正用のバランス修正部１４１ａが形成されている。
【００１６】
上記回転多面鏡１４０は、軸方向の上端部と下端部に反射面１４０ａ，１４０ｂが形成され、軸方向中央部に非反射面１４０ｃが形成されている。回転多面鏡１４０の反射面１４０ａ，１４０ｂは、入射される複数のレーザビームを偏向するのに充分な面積、即ち、軸方向の長さを有しており、非反射面１４０ｃは、反射面１４０ａ，１４０ｂよりも小径に形成されている。この非反射面１４０ｃは、その半径が反射面１４０ａ，１４０ｂの内接円半径よりも小径であれば良いが、実際には、加工時の回転多面鏡１４０の剛性等により適宜選択する。即ち、非反射面１４０ｃを余り小径に形成すると、回転多面鏡１４０の素材の機械剛性が低くなり、反射面１４０ａ，１４０ｂの加工時に歪が発生する可能性があるからである。
【００１７】
又、非反射面１４０ｃの軸方向の長さは、入射されるレーザビームの間隔で決定されるが、このレーザビームの間隔は、回転多面鏡１４０で偏向された後でレーザビームが通過するレンズ間隔によって決定される。
【００１８】
図５は他の従来例による偏向走査装置の主要部を示すもので、特許文献２に記載されている偏向走査装置である。カラー画像形成装置等に用いられる回転多面鏡の実施例を示す縦断面図である。回転多面鏡１０１の軸方向に離間した回転多面鏡反射面１０８ａ，１０８ｂには、各々各色に対応した複数のレーザビームＡ，Ｂ，Ｃ，Ｄが軸対象対向した各４面に入射され、高速偏向走査される。
【００１９】
回転多面鏡１０１は、マルテンサイト系のステンレス鋼から成る回転軸１１０の上部外周が回転多面鏡反射面１０８ａ，１０８ｂを有するアルミ純度９９. ９％以上の回転部材１０８に焼きばめ固定されている。マルテンサイト系ステンレスは、焼入れが可能で表面硬度を高くでき、回転軸としては耐磨耗性が良好で好適である。回転部材１０８の下部内面にはロータ磁石１１１が固定され、ステータコア１０４ａ（巻線コイル１０４）と共にアウターロータ型のブラシレスモータを構成している。
【００２０】
回転多面鏡反射面１０８ａ，１０８ｂは、所定のレーザビームを偏向するのに十分な面積を有しており、回転多面鏡反射面１０８ａ，１０８ｂ間を隔てる空間部１０８ｊは反射面１０８ａ，１０８ｂの内接円径よりも小径な形状となっている。空間部１０８ｊを小径にすることにより、回転上昇と共に増大する風損を効果的に低減できる。尚、上下のレーザビーム間距離Ｌは、回転多面鏡反射面１０８ａ，１０８ｂで偏向後に通るｆθレンズの上下間隔により決定される。間隔が狭いほど表面積が少なくなるので全体の風損は小さくなる。
【００２１】
この構造は、回転多面鏡を板バネ等の固定部材を使用する必要がないので、固定圧力による回転多面鏡反射面への歪みがなくなるというメリットがある。回転部材１０８に設けられた円周溝１０８ｉ，１０８ｋは、回転軸１０の焼きばめ固定時や環境温度変動に伴う回転多面鏡反射面１０８ａ，１０８ｂへの応力歪の防止やバランス修正用の接着剤塗布部にも使用される。ロータ磁石１１は樹脂をバインダーに使用したボンド磁石であり、ロータ磁石１１１の外径部には高速回転時の遠心力による破壊が発生しないように、回転部材１０８が外径を保持している構造である。ロータ磁石１１１を圧入固定することにより一層の高速回転、且つ、高温環境においても固定部の微移動を生ずることなく、回転体バランスの高精度維持が可能となる。
【００２２】
ラジアル軸受は回転軸１１０の外径と固定スリーブ１０３の上下に配置された上部軸受１０５、下部軸受１０６から成り、含油軸受により構成されている。アキシャル方向の軸受は、回転軸１１０の下端面に形成された凸曲面１１０ａと、その対向面にスラスト受部材１０７を接触させるピボット軸受である。
【００２３】
回転体１０２を２５，０００ｒｐｍ以上の高速回転させる場合、振動を小さくするために回転体１０２のバランスを高精度に修正且つ維持しなければならない。回転体１０２にはアンバランスの修正部があり、重心Ｇを挟んで上側は回転部材１０８の円周凹部１０８ｉ又は１０８ｋ部に、下側は円周凹部１０８ｈに各々接着剤を塗布することによりバランス修正を行う。尚、微少な修正を実行する際に接着剤等の付着物では管理がしにくい場合、又、量が少ないため接着力が弱く、４０，０００ｒｐｍ以上の高速回転時には剥離、飛散してしまう場合には、回転体の部品の一部を削除する方法（ドリルによる切削やレーザ加工）を実施することが好適である。
【００２４】
【特許文献１】特開平１１−２７１６５４号公報
【特許文献２】特開２００３−１７７３４６号公報
【発明の開示】
【発明が解決しようとする課題】
【００２５】
しかしながら、上述の従来例では、バランス修正部の径が小さく、修正の効率が悪い。又、回転多面鏡押えバネの固定圧力により、回転多面鏡反射面の面精度が悪化し、画質の悪化を招く。又、バランス修正用溝を有することから、回転による遠心力により回転多面鏡反射面の面精度が悪化し、画質の悪化を招く。
【００２６】
又、同構成でバランス修正部の径を大きくする場合、回転多面鏡押えバネの固定位置やバランス修正用溝が回転多面鏡反射面に近づき、回転多面鏡反射面の面精度が更に悪化する。
【００２７】
本発明の目的は、上述の問題点を解消し、バランス修正効率が良く、回転多面鏡反射面の面精度悪化を低減する偏向走査装置を提供することにある。
【課題を解決するための手段】
【００２８】
上記目的を達成するために、本発明に係る偏向走査装置は、複数のビームが回転軸方向に分離して回転多面鏡反射面に入射する偏向走査装置であって、回転多面鏡反射面が入射位置に応じて回転軸方向に複数に分離する回転多面鏡と、回転多面鏡を回転駆動するモータと、回転多面鏡と一体である回転部材を回転支持する軸受手段と、回転多面鏡とモータの回転部と回転部材を含む回転体を有し、回転多面鏡において、分離された反射面の間の非反射面を回転体のバランス修正部とする。
【００２９】
又、分離された反射面の間の非反射面のバランス修正部のみで回転体のバランスを１面修正しても良い。
【００３０】
又、分離された反射面の間の非反射面が、当反射面の内接円半径よりもその半径を大きく形成しても良い。
【００３１】
又、分離された反射面の間の非反射面が、当反射面の内接円半径よりもその半径を小さく形成しても良い。
【００３２】
又、分離された反射面の間の非反射面において、ラジアル方向の面をバランス修正部としても良い。
【００３３】
又、分離された反射面の間の非反射面において、スラスト方向の面をバランス修正部としても良い。
【００３４】
又、分離された反射面の間の非反射面において、ラジアル方向の面に環状のバランス修正溝を設け、バランス修正溝をバランス修正部としても良い。
【００３５】
又、分離された反射面の間の非反射面において、スラスト方向の面に環状のバランス修正溝を設け、バランス修正溝をバランス修正部としても良い。
【発明の効果】
【００３６】
本発明によれば、回転体の重心位置とバランス修正部の軸方向のズレが小さくなり、バランス修正の２面修正の他に、１面修正も可能となる。
【００３７】
又、分離された反射面の間の、反射面よりも大径に形成された非反射面をバランス修正部としたことにより、バランス修正部の径が大きくなり、バランスウエイトの付着量を少なくでき、効率の良いバランス修正を行うことができる。又、回転多面鏡押えバネの固定圧力やバランス修正用の溝により、回転多面鏡反射面の面精度が悪化し画質の悪化を招く心配もない。又、回転多面鏡反射面への傷や汚れ付着の防止効果があり、回転多面鏡の取り扱いが容易となる。
【００３８】
又、分離された反射面の間の、反射面よりも小径に形成された非反射面をバランス修正部としたことにより、バランス修正部の径が大きくなり、バランスウエイトの付着量を少なくでき、効率の良いバランス修正を行うことができる。又、回転多面鏡押えバネの固定圧力やバランス修正用の溝により、回転多面鏡反射面の面精度が悪化し画質の悪化を招く心配もない。更に、バランス修正部に対するバランスウエイトの密着強度が大幅に向上し、遠心力によってバランスウエイトが離脱飛散する等のトラブルを回避して、耐久性にすぐれた高性能な偏向走査装置を提供することができる。
【発明を実施するための最良の形態】
【００３９】
以下に本発明の実施の形態を添付図面に基づいて説明する。
【００４０】
＜実施の形態１＞
図１は本発明の実施の形態１に係る偏向走査装置を示すもので、これは、回転多面鏡１と、該回転多面鏡１と一体的に回転する回転部材である軸２と、これを回転自在に嵌合させたスリーブ３を有し、スリーブ３は軸受ハウジング４と一体である。スリーブ３の下端には、軸２の球面状の下端をスラスト方向に支持するスラスト板６が固定され、軸２の上部にはフランジ部材７が固着されている。
【００４１】
回転多面鏡１は、フランジ部材７の上面に接着等の方法で固定されてこれと一体化され、軸２と共に回転するように構成されている。
【００４２】
フランジ部材７の外周部には、モータの回転部であるロータ８が固着されており、ロータ８は、軸受ハウジング４に固定されたモータ基板５上のステータ９に対向するように配設されている。図示しない駆動回路から供給される駆動電流によってステータ９が励磁されると、ロータ８が軸２および回転多面鏡１と共に回転する。
【００４３】
スリーブ３は、軸２の回転によって軸２との間に流体膜を形成し、該流体膜の動圧によって軸２を非接触で回転支持する回転軸受手段を構成する。軸２の外周面には、軸２の下端から上向きに間隔を置いて、第１の動圧発生溝と、第２の動圧発生溝（図示せず）が形成されている。軸２の回転と共に、スリーブ３との間の軸受間隙に充填された潤滑剤等が各動圧発生溝の中央部に吸い込まれ、高圧領域を発生させる。この高圧領域によって軸２とスリーブ３がラジアル方向に非接触な状態で支持される。スラスト方向の軸受は、回転軸２の下端面に形成された凸曲面と、その対向面にスラスト板６を接触させるピボット軸受で構成されている。
【００４４】
前記回転多面鏡１は、軸方向の上端部と下端部に反射面１ａ，１ｂが形成され、軸方向中央部に非反射面１ｃが形成されている。回転多面鏡１の反射面１ａ，１ｂは、入射される複数のレーザビームを偏向するのに充分な面積、即ち、軸方向の長さを有しており、その間に非反射面を有する。この非反射面１ｃは、反射面１ａ，１ｂよりも大径に形成されている。この非反射面１ｃは、その半径が反射面１ａ，１ｂの内接円半径よりも大径であれば良い。
【００４５】
回転多面鏡１を高速度で回転させると、回転多面鏡１、フランジ部材７、ロータ８等を含む回転体全体の質量のアンバランスによって動的不均衡が発生し、これに起因する振れ回り振動等のために、画像形成装置の画質が劣化する可能性がある。
【００４６】
そこで、バランスウエイト等を接着することで前記回転体の質量のアンバランスを低減させる。ロータ８のフランジ部にはバランス修正部である環状のバランス修正溝１０が設けられ、又、回転多面鏡非反射面をバランス修正部として用いる。面１ｆにバランス修正溝を設けると、回転の遠心力により回転多面鏡反射面１ａの面精度悪化を招くが、面１ｃ，1 ｄ，1 ｅにバランス修正溝を設けた場合、回転の遠心力により回転多面鏡反射面１ａ，１ｂの面精度悪化を招かないため面１ｃ，１ｄ，１ｅにバランス修正溝を設けても良い。そして、ロータ８のバランス修正溝と回転多面鏡非反射面のバランス修正部（面１ｃ，１ｄ，１ｅ又は面１ｃ，１ｄ，１ｅに設けたバランス修正溝）にバランスウエイト等を付加しバランスの２面修正を行う。又は、回転多面鏡非反射面のバランス修正部（面１ｃ，１ｄ，１ｅ又は面１ｃ，１ｄ，１ｅに設けたバランス修正溝）のみにバランスウエイト等を付加しバランスの１面修正を行う。
【００４７】
バランスウエイトを付加する際、付加されたバランスウエイトがレーザビームに接触しないよう、回転多面鏡反射面、非反射面の軸方向の長さ及びバランスウエイトの軸方向の高さを調整、制限する。
【００４８】
バランス修正部にバランスウエイト等を付加することなく、切削等によって回転多面鏡１やロータ８の所定の部位を除去することでバランス修正を行っても良い。
【００４９】
尚、バランス修正溝にバランスウエイトを付加するバランス修正と、回転多面鏡やロータの一部分を局部的に除去して切欠部を形成するバランス修正を組み合わせても良い。又、潤滑材等を用いる動圧軸受に限定することなく、空気軸受や、ボールベアリングを用いても良い。
【００５０】
このように、本実施の形態では、複数のビームが回転軸方向に分離して回転多面鏡反射面に入射する偏向走査装置であって、回転多面鏡反射面が入射位置に応じて回転軸方向に複数に分離する回転多面鏡と、回転多面鏡を回転駆動するモータと、回転多面鏡と一体である回転部材を回転支持する軸受手段と、回転多面鏡とモータの回転部と回転部材を含む回転体を有し、回転多面鏡において、分離された反射面の間の非反射面を回転体のバランス修正部とすることを特徴とするために、回転体の重心位置とバランス修正部の軸方向のズレが小さくなり、バランス修正の２面修正の他に、１面修正のみも可能となる。
【００５１】
又、分離された反射面の間の、反射面よりも大径に形成された非反射面をバランス修正部としたことにより、バランス修正部の径が大きくなり、バランスウエイトの付着量を少なくでき、効率の良いバランス修正を行うことができる。
【００５２】
更に、回転多面鏡押えバネの固定圧力やバランス修正用の溝により、回転多面鏡反射面の面精度が悪化し画質の悪化を招く心配もない。又、回転多面鏡反射面への傷や汚れ付着の防止効果があり、回転多面鏡の取り扱いが容易となる。
【００５３】
＜実施の形態２＞
図２は実施の形態２に係る偏向走査装置を示すものであり、図１と同じ部品で機能の同じものについては同一番号を符し説明を省略する。
【００５４】
図２において、回転多面鏡１は、軸方向の上端部と下端部に反射面１ａ，１ｂが形成され、軸方向中央部に非反射面１ｇが形成されている。この非反射面１ｇは、反射面１ａ，１ｂよりも小径に形成されている。この非反射面１ｃは、その半径が反射面１ａ，１ｂの内接円半径よりも小径であれば良い。
【００５５】
ロータ８のフランジ部にはバランス修正部である環状のバランス修正溝１０が設けられ、又、回転多面鏡非反射面をバランス修正部として用いる。面１ｆ，１ｈ，１i にバランス修正溝を設けると、回転の遠心力により回転多面鏡反射面１ａ，１ｂの面精度悪化を招くが、面１ｇにバランス修正溝を設けた場合、回転の遠心力により回転多面鏡反射面１ａ，１ｂの面精度悪化を招かないため、面１ｇにバランス修正溝を設けても良い。そして、ロータ８のバランス修正溝と回転多面鏡非反射面のバランス修正部（面１ｇ，１ｈ，１i 又は面１ｇに設けたバランス修正溝）にバランスウエイト等を付加しバランスの２面修正を行う。又、回転多面鏡非反射面のバランス修正部（面１ｇ，１ｈ，１i 又は面１ｇに設けたバランス修正溝）のみにバランスウエイト等を付加しバランスの１面修正を行う。
【００５６】
バランス修正部にバランスウエイト等を付加することなく、切削等によって回転多面鏡１やロータ８の所定の部位を除去することでバランス修正を行っても良い。
【００５７】
尚、バランス修正溝にバランスウエイトを付加するバランス修正と、回転多面鏡やロータの一部分を局部的に除去して切欠部を形成するバランス修正を組み合わせても良い。
【００５８】
又、潤滑材等を用いる動圧軸受に限定することなく、空気軸受や、ボールベアリングを用いても良い。
【００５９】
このように、本実施の形態では、分離された反射面の間の、反射面よりも小径に形成された非反射面をバランス修正部としたことにより、バランス修正部の径が大きくなり、バランスウエイトの付着量を少なくでき、効率の良いバランス修正を行うことができる。
【００６０】
又、回転多面鏡押えバネの固定圧力やバランス修正用の溝により、回転多面鏡反射面の面  精度が悪化し画質の悪化を招く心配もない。
【００６１】
更に、バランス修正部に対するバランスウエイトの密着強度が大幅に向上し、遠心力によってバランスウエイトが離脱飛散する等のトラブルを回避して、耐久性に優れた高性能な偏向走査装置を提供することができる。
【００６２】
図３は偏向走査装置全体を示すもので、これは、レーザ光等の光ビーム（光束）を発生する光源５１と、前記光ビームを回転多面鏡１の反射面に線状に集光させるシリンドリカルレンズ５１ａとを有し、前記光ビームを回転多面鏡１の回転によって偏向走査し、結像光学系である結像レンズ系５２及び折り返しミラー５３を経て回転ドラム上の感光体５４の結像面に結像させる。結像レンズ系５２は球面レンズ５２ａ、トーリックレンズ５２ｂ等を有し、感光体５４に結像する点像の走査速度等を補正するｆθ機能を有する。
【００６３】
前記モータによって回転多面鏡１が矢印Ａの方向へ回転すると、その反射面は、回転多面鏡１の軸線回りに等速で回転する。前述のように光源５１から発生され、シリンドリカルレンズ５１ａによって集光される光ビームの光路と回転多面鏡１の反射面の法線とがなす角、即ち該反射面に対する光ビームの入射角は、回転多面鏡１の回転と共に経時的に変化し、同様に反射角も変化するため、感光体５４上で光ビームが集光されてできる点像は回転ドラムの軸方向（主走査方向）に移動（走査）する。
【００６４】
結像レンズ系５２は、回転多面鏡１において反射された光ビームを感光体５３上で所定のスポット形状の点像に集光するとともに、該点像の主走査方向への走査速度を等速に保つように設計されたものである。
【００６５】
感光体５４に結像する点像は、回転多面鏡１の回転による主走査と、感光体５４を有する回転ドラムがその軸回りに回転することによる副走査に伴って、静電潜像を形成する。
【００６６】
感光体５４の周辺には、感光体５４の表面を一様に帯電するための帯電装置、感光体５４の表面に形成される静電潜像をトナー像に顕像化するための現像装置、前記トナー像を記録紙に転写する転写装置（何れも不図示）等が配置されており、光源５１から発生する光ビームによる記録情報が記録紙等にプリントされる。
【００６７】
検出ミラー５５は、感光体５４の表面における記録情報の書き込み開始位置に入射する光ビームの光路よりも主走査方向上流において光ビームを反射して、レンズ５６ａを経てフォトダイオード等を有する受光素子５６ｂの受光面に導入する。受光素子５６ｂは、その受光面が前記光ビームによって照射されたときに、走査開始位置（書き出し位置）を検出するための走査開始信号を出力する。
【００６８】
光源５１は、ホストコンピュータからの情報を処理する処理回路５７から与えられる信号に対応した光ビームを発生する。光源５１に与えられる信号は、感光体５４に書き込むべき情報に対応しており、処理回路５７は、感光体５４の表面において結像する点像が作る軌跡である一走査線に対応する情報を表す信号を一単位として光源５１に与える。この情報信号は、受光素子５６ｂからライン５６ｃを経て与えられる走査開始信号に同期して送信される。
【００６９】
尚、回転多面鏡１、結像レンズ系５２等は光学箱５０に収容され、光源５１等は光学箱５０の側壁に取り付けられる。光学箱５０に回転多面鏡１、結像レンズ系５２等を組み付けた上で、光学箱５０の上部開口部に図示しない蓋を装着する。
【図面の簡単な説明】
【００７０】
【図１】本発明の実施の形態１に係る偏向走査装置の半断面図である。
【図２】本発明の実施の形態２に係る偏向走査装置の半断面図である。
【図３】偏向走査装置全体を説明する図である。
【図４】従来の回転多面鏡押えバネを有する偏向走査装置を示す図である。
【図５】従来のバランス溝を有する偏向走査装置を示す図である。
【符号の説明】
【００７１】
１      回転多面鏡
１ａ，１ｂ  回転多面鏡反射面
１ｃ〜１ｃ  回転多面鏡非反射面
２      回転軸
３      スリーブ
７      フランジ部材
１０    バランス修正溝
【図１】
2006221001.tif 000003
【図２】
2006221001.tif 000004
【図３】
2006221001.tif 000005
【図４】
2006221001.tif 000006
【図５】
2006221001.tif 000007